(57)【要約】【課題】装飾枠に形成する装飾部材固定用の構造の数を抑えつつ、装飾部材を装飾枠に強固に固定し得る遊技機を提供する。【解決手段】装飾部材２５に、パネル用開口部３０の内側に張り出す張出部４６を設け、該張出部４６の少なくとも一部を、パネル用開口部３０の縁部３０ａに沿わせるとともに、装飾部材２５の張出部４６の背面に当接し、該張出部４６と一体的に固定される固定部６０と、該固定部６０からパネル用開口部３０の外側に突出して、該パネル用開口部３０の縁部３０ａに背面側から当接する係止部６５とを有する補強部材２６を配設する。【選択図】図１９
2017221510.tif 000002
【特許請求の範囲】
【請求項１】
パネル用開口部を備え、機体の前面側に配設された樹脂一体成形品の装飾枠と、
該装飾枠のパネル用開口部を背面側から閉塞するように配設されたパネルと、
前記装飾枠の前面側に配設された装飾部材と
を備える遊技機であって、
前記装飾部材は、前記パネル用開口部の内側に張り出した張出部を備え、
前記装飾部材の前記張出部の背面に当接し、該張出部に固定される固定部と、該固定部から前記パネル用開口部の外側に突出して、該パネル用開口部の縁部に背面側から当接する係止部とを有する補強部材を備えることを特徴とする遊技機。
【請求項２】
前記装飾部材は、前記パネル用開口部の縁部に前面側から当接して、該縁部を、前記補強部材の前記係止部と挟持する挟持部を備えることを特徴とする請求項１に記載の遊技機。
【請求項３】
前記パネル用開口部は、矩形状であり、
前記装飾部材は、前記パネル用開口部の外側で、前記パネル用開口部の左右一側に螺着されて、前記張出部の少なくとも一部を、前記パネル用開口部の上縁又は下縁に沿うように張り出しており、
前記補強部材は、前記固定部を、前記張出部の、前記パネル用開口部の上縁又は下縁に沿った部分の背面に当接させて、前記係止部を、前記パネル用開口部の上縁又は下縁に背面側から当接させていることを特徴とする請求項１又は請求項２に記載の遊技機。
【請求項４】
前記パネル用開口部は、矩形状であり、
前記パネル用開口部の対向する一対の縁部には、前方に向けて拡開する傾斜面が形成されており、
前記装飾部材は、前記パネル用開口部の前記対向する一対の縁部に形成された前記傾斜面に当接する当接部を備え、
前記張出部の少なくとも一部は、前記パネル用開口部の、前記対向する一対の縁部に沿っており、
前記補強部材の前記固定部は、前記張出部の、前記パネル用開口部の前記対向する一対の縁部に沿った部位の背面に当接しており、
前記補強部材の前記係止部は、前記パネル用開口部の前記対向する一対の縁部に背面側から当接していることを特徴とする請求項１乃至請求項３のいずれか１項に記載の遊技機。
【請求項５】
前記パネルは、前記補強部材の係止部と前後に重なる部分に切欠部が形成されていることを特徴とする請求項１乃至請求項４のいずれか１項に記載の遊技機。
【請求項６】
前記装飾枠は、パネル用開口部の少なくとも一側にスピーカ用開口部を備え、
該スピーカ用開口部を背面側から閉塞するように、スピーカ用の放音孔が形成された放音部材が配設されており、
前記装飾部材は、前記放音部材の前面側に螺着されていることを特徴とする請求項１乃至請求項５のいずれか１項に記載の遊技機。
【請求項７】
前記補強部材は強磁性体であり、
前記装飾枠の背面側には、パネル用開口部の少なくとも一側に磁石が配設されていることを特徴とする請求項１乃至請求項６のいずれか１項に記載の遊技機。
【請求項８】
前記装飾部材の前記張出部は、立体的形状を有していることを特徴とする請求項１乃至請求項７のいずれか１項に記載の遊技機。
【発明の詳細な説明】
【技術分野】
【０００１】
本発明は、デザインパネルや液晶パネル等によって閉塞される開口部を備えた装飾枠が、機体前面に配設された遊技機に関する。
【背景技術】
【０００２】
スロットマシン等の遊技機には、デザインパネルや液晶パネル等を装着する開口部を備えた装飾枠が、機体前面に配設されている（例えば、特許文献１）。こうした装飾枠の多くは、樹脂の一体成形品であり、コスト削減のため、同じデザインのものが複数機種に共通部品として使用されており、装飾枠が共通する機種では、遊技機の廃棄時に装飾枠を回収して、他機種の装飾枠に再利用することも行われている。また、上記装飾枠を備えた遊技機では、装飾枠の前面に機種特有の装飾部材を取り付けることで、装飾枠を複数機種で共通化しつつ、装飾枠の部分に各機種特有の意匠性を付与している。
【先行技術文献】
【特許文献】
【０００３】
【特許文献１】特開２０１４−１５５８５７号公報
【発明の概要】
【発明が解決しようとする課題】
【０００４】
上記装飾枠を備えた遊技機では、装飾枠に対する装飾部材の固定が不十分であると、装飾部材がぐらついて、悪戯によって破損しやすく、また、装飾枠と装飾部材の隙間から不正工具を挿入されるおそれが高くなるため、装飾枠に装飾部材を強固に固定することが望ましい。しかしながら、一方で、装飾部材を強固に固定するために、ネジ孔等の固定用構造を装飾枠の前面に多数形成すると、当該装飾枠を共用する全ての機種で、全ての固定用構造を覆い隠すように装飾部材を取り付けねばならず、意匠の設計自由度が制限されてしまうという問題が生じる。
【０００５】
本発明は、かかる現状に鑑みてなされたものであり、装飾枠に形成する装飾部材固定用の構造の数を抑えつつ、装飾部材を装飾枠に強固に固定し得る遊技機の提供を目的とする。
【課題を解決するための手段】
【０００６】
本発明は、パネル用開口部を備え、機体の前面側に配設された樹脂一体成形品の装飾枠と、該装飾枠のパネル用開口部を背面側から閉塞するように配設されたパネルと、前記装飾枠の前面側に配設された装飾部材とを備える遊技機であって、前記装飾部材は、前記パネル用開口部の内側に張り出した張出部を備え、前記装飾部材の前記張出部の背面に当接し、該張出部に固定される固定部と、該固定部から前記パネル用開口部の外側に突出して、該パネル用開口部の縁部に背面側から当接する係止部とを有する補強部材を備えることを特徴とする遊技機である。
【０００７】
かかる構成にあっては、パネル用開口部の縁部を跨いで、パネル用開口部の外側からパネルの前面側に装飾部材が張り出すこととなるため、パネルの装飾と装飾部材の装飾とを調和させることにより、遊技者に迫力のある印象を与えることができる。また、本構成のように、装飾部材をパネル用開口部の内側に張り出した場合には、張出部の先端が自由端となるため、張出部に力が加わった時に装飾部材に比較的大きなモーメントが発生するが、本発明にあっては、パネル用開口部の縁部において補強部材が装飾部材を係止することで、かかるモーメントを最小限に抑えることができるという利点がある。また、本発明では、パネル用開口部の縁部に装飾部材固定用の構造を形成することなく、補強部材によって装飾部材の張出部を装飾枠に係止するため、装飾枠の前面に形成する装飾部材固定用の構造の数を抑えつつ、装飾部材を装飾枠に強固に固定できるという利点がある。
【０００８】
本発明にあって、前記装飾部材は、前記パネル用開口部の縁部に前面側から当接して、該縁部を、前記補強部材の前記係止部と挟持する挟持部を備えることが提案される。かかる構成とすれば、パネル用開口部の縁部に装飾部材を一層強固に固定可能となる。
【０００９】
また、本発明にあって、前記パネル用開口部は、矩形状であり、前記装飾部材は、前記パネル用開口部の外側で、前記パネル用開口部の左右一側に螺着されて、前記張出部の少なくとも一部を、前記パネル用開口部の上縁又は下縁に沿うように張り出しており、前記補強部材は、前記固定部を、前記張出部の、前記パネル用開口部の上縁又は下縁に沿った部分の背面に当接させて、前記係止部を、前記パネル用開口部の上縁又は下縁に背面側から当接させていることが提案される。
【００１０】
かかる構成にあっては、パネル用開口部の左右一側に螺着した装飾部材を、パネル用開口部の上縁や下縁に係止することで、装飾部材を装飾枠に強固に固定しつつ、装飾部材をパネル用開口部の内側に大きく張り出して意匠性を向上させることが可能となる。
【００１１】
また、本発明にあって、前記パネル用開口部は、矩形状であり、前記パネル用開口部の対向する一対の縁部には、前方に向けて拡開する傾斜面が形成されており、前記装飾部材は、前記パネル用開口部の前記対向する一対の縁部に形成された前記傾斜面に当接する当接部を備え、前記張出部の少なくとも一部は、前記パネル用開口部の、前記対向する一対の縁部に沿っており、前記補強部材の前記固定部は、前記張出部の、前記パネル用開口部の前記対向する一対の縁部に沿った部位の背面に当接しており、前記補強部材の前記係止部は、前記パネル用開口部の前記対向する一対の縁部に背面側から当接していることが提案される。
【００１２】
かかる構成にあっては、補強部材の係止部によって、パネル用開口部の対向する縁部に装飾部材を係止するため、補強部材単独で装飾部材を装飾枠に保持可能となる。
【００１３】
また、本発明にあって、前記パネルは、前記補強部材の係止部と前後に重なる部分に切欠部が形成されていることが提案される。
【００１４】
かかる構成にあっては、補強部材と干渉させることなく、パネル用開口部の縁部と、パネルの縁部とを当接させることができるため、パネル用開口部とパネルとの隙間を低減して、美観を向上させることができ、また、かかる構成によれば、パネル用開口部とパネルの隙間から遊技機内部に不正工具を挿入されるおそれも低減できる。
【００１５】
また、本発明にあって、前記装飾枠は、パネル用開口部の少なくとも一側にスピーカ用開口部を備え、該スピーカ用開口部を背面側から閉塞するように、スピーカ用の放音孔が形成された放音部材が配設されており、前記装飾部材は、前記放音部材の前面側に螺着されていることが提案される。
【００１６】
かかる構成によれば、装飾枠に配設する装飾部材固定用の構造を一層低減することができる。なお、スピーカ用の放音孔は意匠的価値が低いため、装飾部材を放音部材の前面側に螺着することで、放音部材の一部が前面側から視認不能となったとしても支障は生じない。
【００１７】
また、本発明にあって、前記補強部材は強磁性体であり、前記装飾枠の背面側には、パネル用開口部の少なくとも一側に磁石が配設されていることが提案される。かかる構成とすれば、装飾部材等の取付作業の際に、補強部材を磁石に吸着して保持しておくことで、補強部材の取付作業を省力化できる。
【００１８】
また、本発明にあって、前記装飾部材の前記張出部は、立体的形状を有していることが提案される。かかる構成にあっては、パネル用開口部において、平坦なパネルの意匠と、立体的な張出部の意匠とを組み合わせることで、より優れた意匠性を実現可能となる。
【図面の簡単な説明】
【００１９】
【図１】スロットマシン１の正面図である。
【図２】前扉３の分解斜視図である。
【図３】中央部装飾ユニット１４の分解斜視図である。
【図４】上部装飾ユニット１５の斜視図である。
【図５】上部装飾ユニット１５の分解斜視図である。
【図６】上部装飾枠２４の主体部２８の背面図である。
【図７】上部装飾枠２４を縦断して示す前面側拡大斜視図である。
【図８】上部スピーカ２０の分解斜視図である。
【図９】上部装飾枠２４への上部スピーカ２０の装着態様を示す斜視図である。
【図１０】上部装飾ユニット１５の正面拡大図である。
【図１１】装飾部材２５の（ａ）正面図と（ｂ）背面図である。
【図１２】第１部材４７の（ａ）前面側斜視図と（ｂ）背面側斜視図である。
【図１３】第２部材４８の（ａ）前面側斜視図と（ｂ）背面側斜視図である。
【図１４】上部装飾ユニット１５を縦断して、上部装飾枠２４への装飾部材２５の装着態様を示す背面側斜視図である。
【図１５】上部装飾ユニット１５を縦断して、上部装飾枠２４に装飾部材２５を装着した状態を示す背面側斜視図である。
【図１６】図１５中の（ａ）Ｘ部分拡大図と（ｂ）Ｙ部分拡大図である。
【図１７】（ａ）は、補強部材２６の前面側斜視図であり、（ｂ）は（ａ）中のＸ部分拡大図である。
【図１８】上部装飾ユニット１５を縦断して、上部装飾枠２４への補強部材２６の装着態様を示す背面側斜視図である。
【図１９】補強部材２６を上部装飾枠２４に装着した状態を示す背面拡大図である。
【図２０】上部装飾ユニット１５を縦断して、上部装飾枠２４に補強部材２６を装着した状態を示す背面側斜視図である。
【図２１】図２０中の（ａ）Ｘ部分拡大図と（ｂ）Ｙ部分拡大図である。
【図２２】上パネル１０の切欠部２２と、補強部材２６の係止部６５の位置関係を示す上部装飾枠２４の背面拡大図である。
【図２３】補強部材２６をスピーカ本体３５に吸着した状態を示す上部装飾ユニット１５の背面側拡大斜視図である。
【発明を実施するための形態】
【００２０】
本発明をスロットマシンに適用した実施形態を、以下の実施例に従って説明する。
なお、下記実施例にあって、本発明に係る装飾枠は上部装飾枠２４に相当し、本発明に係るパネルは上パネル１０に相当する。また、本発明に係る挟持部および当接部は、上端部及び下端部の非張出部４５ａに相当する。また、本発明に係るパネル用開口部の対向する一対の縁部は、パネル用開口部３０の上下の縁部３０ａに相当する。また、本発明に係る磁石は、スピーカ本体３５に内蔵された永久磁石に相当する。
【００２１】
図１は、本実施例のスロットマシン１の正面図である。スロットマシン１の前面全体は、開閉可能な前扉３によって覆われている。前扉３の前面側には、遊技操作に用いるベットスイッチ５、スタートスイッチ６、ストップスイッチ７ａ〜７ｃ等の各種スイッチが配設される。また、前扉３の前面側には、上パネル１０、中パネル１１、下パネル１２の三つのパネルが上下に配設される。これらのパネル１０〜１２は、透明樹脂からなる薄板の背面側に、装飾シートを貼付してなる装飾パネルである。なお、中パネル１１の中央部には装飾シートが貼付されず、筐体内部に配設されたリール９ａ〜９ｃを視認可能とする透明な表示窓４が形成されている。さらに、前扉３の上部には、トップランプ１７や上サイドランプ１８，１８、上部スピーカ２０，２０が配設され、前扉３の下部には、下サイドランプ１９，１９や下部スピーカ２１，２１が配設される。
【００２２】
図２に示すように、前扉３の上部は、前扉３のフレームを構成する前扉フレーム１３の上部に、中央部装飾ユニット１４を前面側から取り付け、さらに上部装飾ユニット１５を前面側に取り付けた構造となっている。
【００２３】
図３に示すように、中央部装飾ユニット１４は、パネルベース部材１６の前面に上パネル１０と中パネル１１を装着してなるものである。また、パネルベース部材１６には、上パネル１０と中パネル１１の背面側に、照明装置（図示省略）が配設される。
【００２４】
図３に示すように、上パネル１０は、横長矩形状をなす透明な樹脂製パネルの裏面に、所要の意匠形状を印刷してなるデザインパネルである。上パネル１０には、上縁及び下縁の両側部と、右縁及び左縁の中央に切欠部２２が夫々形成されている。上パネル１０は、パネルベース部材１６に形成された係止爪２３によって、パネルベース部材１６の前面に係止される。
【００２５】
図４に示すように、上部装飾ユニット１５は、上部装飾枠２４に、トップランプ１７、上サイドランプ１８，１８、上部スピーカ２０，２０、及び装飾部材２５，２５を装着してなるものである。なお、上部装飾ユニット１５は左右対称形状である。このため、以下の説明では、左右両側に配設される構成については、左右一側の構成のみを図示して説明する。
【００２６】
上部装飾枠２４は、前面側に金属調の塗装を施した樹脂一体成形品である。図５に示すように、上部装飾枠２４は、前扉３の前面上部を覆う横長矩形状の主体部２８と、該主体部２８の両側から垂下して中パネル１１の両側を縁取りする左右一対の脚部２９，２９とで構成される。
【００２７】
図５に示すように、主体部２８の上部には、トップランプ１７を装着するトップランプ装着部３２が形成される。トップランプ装着部３２の背面側には、トップランプ基板４１が装着される。トップランプ基板４１は、ＬＥＤやＬＥＤドライバ等を基板上に配設してなるものである。トップランプ装着部３２には、ＬＥＤの光をトップランプ装着部３２の前面側に透過させる貫通孔と、該貫通孔を透過した光を前方に反射させるすり鉢状のリフレクタが形成される。さらに、トップランプ装着部３２の前面側には半透明のトップランプカバー４２が装着される。
【００２８】
図５に示すように、主体部２８の両側部には、上サイドランプ１８，１８を装着する左右一対のサイドランプ装着部３３，３３が形成される。サイドランプ装着部３３の背面側には、上サイドランプ基板４３が装着される。上サイドランプ基板４３は、ＬＥＤやＬＥＤドライバ等を基板上に配設してなるものである。サイドランプ装着部３３には、ＬＥＤの光をサイドランプ装着部３３の前面側に透過させる貫通孔と、該貫通孔を透過した光を前方に反射させるすり鉢状のリフレクタが形成される。さらに、サイドランプ装着部３３の前面側には半透明の上サイドランプカバー４４が装着される。
【００２９】
図６に示すように、主体部２８の中央部には、上パネル１０を前方から視認可能とするパネル用開口部３０が配設される。パネル用開口部３０は、上パネル１０よりも一回り小さい横長矩形状をなしており、上部装飾ユニット１５を前扉フレーム１３に装着した状態で、パネル用開口部３０は上パネル１０によって背面側から閉塞され、上パネル１０は、切欠部２２の形成部分を除き、外周部をパネル用開口部３０の縁部３０ａの背面側に当接させる。また、図７に示すように、パネル用開口部３０の上下の縁部３０ａには、前方に向けて拡開する傾斜面３０ｂが夫々形成される。
【００３０】
図５に示すように、主体部２８の、パネル用開口部３０の両側には、上部スピーカ２０を装着する左右一対のスピーカ用開口部３１，３１が形成される。図８に示すように、上部スピーカ２０は、前面に複数の放音孔４０が網目状に形成された放音部材３４と、スピーカ本体３５とで構成される。スピーカ本体３５の四隅には貫通孔３５ａが形成されており、図９に示すように、スピーカ本体３５は、かかる貫通孔３５ａを介して放音部材３４の背面側にネジ３８ａで螺着される。また、放音部材３４の四隅には螺着用の貫通孔３６が形成されており、図９に示すように、放音部材３４の四隅を、上部装飾枠２４の背面側に形成されたネジ孔３９にネジ３８ｂで螺着することにより、放音部材３４は、上部装飾枠２４に対して、スピーカ用開口部３１を背面側から閉塞するように固定される。
【００３１】
図４，５に示すように、主体部２８の前面側には、装飾部材２５，２５が左右に対をなすように配設される。図１０に示すように、装飾部材２５は、主体部２８の前面側において、パネル用開口部３０の縁部３０ａを跨ぐように配設されており、パネル用開口部３０の外側に位置する非張出部４５ａ，４５ｂと、パネル用開口部３０の内側に張り出して、正面視においてパネル用開口部３０と前後に重なることとなる張出部４６とで構成される。
【００３２】
図１１（ａ）に示すように、装飾部材２５は正面視略コ字状をなしており、前面の上部と下部には、複数枚の金貨を模した立体的な意匠形状が形成され、前面の側部には指四本を模した立体的な意匠形状が形成される。図１１（ａ）において、二点鎖線で囲んだ部分の内側部分が、張出部４６となる部分であり、張出部４６は、金貨の立体形状の大部分と、指四本の立体形状の基端側部分とで構成される。一方、図１１（ａ）において、二点鎖線で囲んだ部分の外側部分が、非張出部を構成する部分であり、非張出部は、金貨の意匠形状の上端部４５ａ及び下端部４５ａと、指四本の意匠形状の先端側部分４５ｂとで構成される。
【００３３】
図１１（ｂ）に示すように、装飾部材２５の背面側には、装飾部材２５を放音部材３４と螺着するためのネジ孔５１が非張出部４５ｂに形成され、また、装飾部材２５を後述する補強部材２６と螺着するためのネジ孔５２が張出部４６に形成される。また、張出部４６の背面側には、補強部材２６と嵌合する位置決め用の突起５３と、パネル用開口部３０の縁部３０ａに内側から当接する位置決め用のリブ５４が形成される。
【００３４】
図１１〜１３に示すように、装飾部材２５は、第１部材４７と第２部材４８を、ネジ３８ｃで一体化したものである。第１部材４７と第２部材４８は、前面に立体的な意匠形状が形成された樹脂成形品である。第１部材４７は、指の色（肌色）の樹脂で形成されており、図１２（ａ）に示すように、その前面全体には、指四本（人差し指・中指・薬指・小指の四本）を模した立体的な意匠形状がされる。また、図１２（ｂ）に示すように、第１部材４７の背面側には、背面側に突出するボス部５１ａ，５６ａが形成されており、該ボス部５１ａ，５６ａの後端に、装飾部材２５を放音部材３４と螺着するためのネジ孔５１と、第２部材４８を螺着するためのネジ孔５６が夫々形成されている。本実施例では、このような指四本を模した立体的な意匠形状を、パネル用開口部３０の両側から内側に張り出すように形成しているため、誰かがパネル用開口部３０の奥から前方に指を突き出して、パネル用開口部３０の左右両縁を内側から掴んでいるような印象を与えることができる。
【００３５】
また、第２部材４８は、透明な樹脂成形品の表面に金色のメッキ塗装を施したものであり、図１３（ａ）に示すように、上下の横辺部４８ａ，４８ａと、横辺部４８ａ，４８ａを連結する縦辺部４８ｂとからなる略コ字状をなしている。第２部材４８は、パネル用開口部３０と略同じ縦幅に設計され、上下の横辺部４８ａ，４８ａと縦辺部４８ｂを、パネル用開口部３０の上下及び一側の縁部３０ａに沿わせ得るよう構成されている。横辺部４８ａ，４８ａは、装飾部材２５の前面に露出する部分であり、その前面には、山積みとなった複数枚（２０枚程度）の金貨を模した立体的な意匠形状が形成される。縦辺部４８ｂは、第１部材４７の背面に当接する部分である。縦辺部４８ｂの上部と下部には、締結用の貫通孔５７が形成されており、第２部材４８は、該貫通孔５７を介して第１部材４７と螺着され、一体化される。また、図１３（ｂ）に示すように、第２部材４８の背面側には、上述したネジ孔５２や突起５３、リブ５４が形成される。なお、第２部材４８のメッキ塗装は、通常では前方から視認されない部分（背面側や縦辺部４８ｂ）にも施されている。このため、本実施例では、第２部材４８が前方に引っ張られて、第２部材４８の背面側や縦辺部４８ｂがわずかに視認されたとしても、遊技者に安っぽい印象を与えるおそれがない。
【００３６】
装飾部材２５は、上部装飾枠２４の背面側に螺着された放音部材３４の前面側に螺着されることで、上部装飾枠２４に間接的に固定される。具体的には、図８に示すように、放音部材３４には、装飾部材２５を螺着するための貫通孔３７，３７が前後方向に形成されており、図１４に示すように、放音部材３４を上部装飾枠２４に螺着した状態で、上部装飾枠２４の前方から放音部材３４の前面側に装飾部材２５を取り付けて、放音部材３４の貫通孔３７に背面側からネジ３８ｄを挿通して、装飾部材２５の背面側に形成されたネジ孔５１に螺合することによって、装飾部材２５は放音部材３４の前面側に固定される。なお、図８に示すように、放音部材３４の貫通孔３７は、放音部材３４の前面に形成された凹部３７ａの底部に形成されており、装飾部材２５を放音部材３４に取り付ける際に、ネジ孔５１が形成されたボス部５１ａの後端を凹部３７ａに嵌合させることにより、ネジ孔５１と貫通孔３７とが重なる位置に装飾部材２５を位置決めできるよう構成されている。
【００３７】
上部装飾枠２４に装飾部材２５を装着した状態では、図１５に示すように、装飾部材２５は、放音部材３４の前面側から内方に延出して、張出部４６を、パネル用開口部３０の上下および左右一側の縁部３０ａに沿わせるように、パネル用開口部３０の内側に張り出させる。また、図１６（ａ），１６（ｂ）に示すように、かかる装着状態では、装飾部材２５（詳しくは、第２部材４８）の上端部及び下端部の非張出部４５ａが、パネル用開口部３０の上下の縁部３０ａに形成された、前方に拡開する傾斜面３０ｂに当接することとなる。
【００３８】
このように、本実施例では、装飾部材２５が、パネル用開口部３０の縁部３０ａを跨いでパネル用開口部３０の内側に張り出して、上パネル１０の前面側に位置することとなるため、上パネル１０と装飾部材２５の意匠とを調和させることにより、従来の装飾部材を配設した上部装飾枠に比べて遊技者に迫力のある印象を与えることができるという利点がある。特に、本実施例では、装飾部材２５の張出部４６は、四本指と複数枚の金貨を模した立体的な意匠形状を構成する部分を含んでいるため、平坦な上パネル１０の意匠と、立体的な張出部４６の意匠を組み合わせることで、優れた意匠性を実現できるという利点がある。
【００３９】
また、本実施例では、装飾部材２５の第１部材４７の非張出部４５ｂを、上部装飾枠２４に固定された放音部材３４の前面側に取り付けて、放音部材３４の背面側から挿通したネジ３８ｄで螺着するため、上部装飾枠２４の前面側に固定用のネジ孔や貫通孔等を形成することなく、装飾部材２５の非張出部４５ｂを、装飾枠２４の前面側に固定できるという利点がある。なお、本実施例では、放音部材３４の前面側に非張出部４５ｂを螺着することで、上部スピーカ２０の放音孔４０の一部が非張出部４５ｂによって遮蔽されることとなるが、放音孔４０は音を発する部分であり意匠的価値は低いため、放音孔４０が視認不能になっても意匠的に問題となることはない。また、放音孔４０を部分的に遮蔽しただけでは出力音声が大きく劣化することはないため音声演出に関しても支障は生じない。
【００４０】
上述のように、装飾部材２５を放音部材３４の前面側に固定しただけの状態では、内側に延出する張出部４６の先端が自由端となるため、張出部４６を手前に引っ張る力が加わった時に、装飾部材２５に大きなモーメントが発生することとなり、装飾部材２５が破損するおそれや、放音部材３４に対してネジ３８ｄで固定した部分が緩んでがたつくおそれが高い。本実施例では、かかる問題を解消するために、張出部４６の背面側に補強部材２６を一体的に固定することで、張出部４６をパネル用開口部３０の縁部３０ａに係止する。
【００４１】
補強部材２６は、スチール板を成形してなるものであり、図１７（ａ），１７（ｂ）に示すように、上下の横辺部６０ａ，６０ａと、横辺部６０ａ，６０ａを連結する縦辺部６０ｂとからなるコ字状板形状をなす固定部６０を主体とする。固定部６０は平板状をなしており、図１８，１９に示すように、補強部材２６は、上部装飾枠２４に装着した装飾部材２５に対して、張出部４６の背面に固定部６０を当接させた状態で固定される。具体的には、固定部６０の横辺部６０ａ，６０ａ及び縦辺部６０ｂには、装飾部材２５の背面側に位置決めするための貫通孔６１と、装飾部材２５の背面側に補強部材２６を螺着するための貫通孔６２が夫々形成されており、補強部材２６は、固定部６０を張出部４６の背面側に当接して、貫通孔６１を突起５３と嵌合させた状態で、貫通孔６２に背面側からネジ３８ｅを挿通して、装飾部材２５の背面側に形成されたネジ孔５２に螺合することによって張出部４６と一体的に固定される。補強部材２６の固定部６０の縦幅は、パネル用開口部３０の縦幅と略等しくなっており、図１９に示すように、補強部材２６は、コ字状の固定部６０を、パネル用開口部３０の上下及び左右一側の縁部３０ａに沿わせるようにして、装飾部材２５の背面に固定される。
【００４２】
また、図１７（ａ）に示すように、補強部材２６には、固定部６０の外側に突出する係止部６５が設けられる。より詳細には、補強部材２６には、固定部６０の上側の横辺部６０ａから上方に突出する係止部６５と、下側の横辺部６０ａから下方に突出する係止部６５と、縦辺部６０ｂから外方に突出する係止部６５とが設けられる。また、上下の横辺部６０ａ，６０ａに設けられた係止部６５は、上下方向に対向する位置に対をなすように形成されている。各係止部６５は、図１７（ｂ）に示すように、スチール板を固定部６０の外側に突出させるとともに、突出させた部分を背面側に９０°屈曲させて背面側に突出する後方突出部６５ａを形成し、さらに後方突出部６５ａの後端でスチール板を外側に９０°屈曲させて外側に突出する外方突出部６５ｂを形成することによって設けられている。図１９に示すように、補強部材２６は、固定部６０を張出部４６に固定した状態で、各係止部６５をパネル用開口部３０の外側に突出させて、各係止部６５の外方突出部６５ｂを、パネル用開口部３０の上下及び左右一側の縁部３０ａに背面側から当接させる。また、かかる状態では、図２０，２１に示すように、後方突出部６５ａは、外方突出部６５ｂの内側前方で、パネル用開口部３０の縁部３０ａの内側面に近接する。また、固定部６０は、後方突出部６５ａの突出幅の分だけ、外方突出部６５ｂよりも前面側に形成されているため、図２０，２１に示すように、係止部６５をパネル用開口部３０の縁部３０ａに当接した状態で、固定部６０は、縁部３０ａの背面よりも前方に位置している。
【００４３】
このように、本実施例にあっては、装飾部材２５の張出部４６の背面側に補強部材２６を一体的に固定して、パネル用開口部３０の上下及び左右一側の縁部３０ａにおいて張出部４６を補強部材２６の係止部６５によって背面側から係止するため、張出部４６を手前側に引っ張った時や、張出部４６の縁部をめくるように手前側に引っ張った時に、補強部材２６に加わるモーメントを最小限に抑えることができる。このため、本実施例にあっては、パネル用開口部３０の左右一側に螺着した装飾部材２５を、パネル用開口部３０の内側に大きく張り出していても、固定強度不足による、装飾部材２５のがたつきや破損を適切に防止できる。また、本実施例にあっては、係止部６５の後方突出部６５ａが、パネル用開口部３０の縁部３０ａの内側面に近接しているため、装飾部材２５に対してパネル用開口部３０の外側方向に力が加わった場合でも、後方突出部６５ａがパネル用開口部３０の縁部３０ａに内側から当接することで、装飾部材２５の動きを阻止できる。したがって、本実施例では、パネル用開口部３０に外側方向に加わる外力に対しても、装飾部材２５の固定の緩みや、装飾部材２５の変形を適切に防止できる。また、従来の遊技機では、遊技者の悪戯によって装飾部材２５が破損するのを防止するために、装飾部材２５の前面側を透明な保護カバーで覆ったものが知られているが、本実施例では、装飾部材２５を強固に固定しているため保護カバーは不要である。このため、本実施例では、保護カバーの設置コストを削減でき、また、保護カバーによる装飾部材の視認性低下も防止できる。
【００４４】
また、本実施例の構成によれば、パネル用開口部３０の縁部３０ａに、張出部４６を固定するためのネジ孔等の構造を一切形成せずに、当該縁部３０ａに張出部４６を係止できる。特に、本実施例では、装飾部材２５の非張出部４５ｂについても、上部装飾枠２４に背面側から固定された放音部材３４に螺着しているため、上部装飾枠２４には、装飾部材２５を上部装飾枠２４の前面に固定するための構造を一切形成しなくて済む。したがって、本実施例の構成は、上部装飾枠２４の汎用性を低下させることなく、装飾部材２５をパネル用開口部３０に固定できるという利点がある。
【００４５】
特に、本実施例では、装飾部材２５は、上端部及び下端部の非張出部４５ａ，４５ａを、パネル用開口部３０の縁部３０ａの傾斜面３０ｂに当接させているため、図２０，２１に示すように、装飾部材２５の背面側に補強部材２６を固定して、補強部材２６の係止部６５をパネル用開口部３０の上下の縁部３０ａに背面側から当接した状態で、パネル用開口部３０の上下の縁部３０ａが、前面側から当接する装飾部材２５の非張出部４５ａと、背面側から当接する補強部材２６の係止部６５とによって挟持される。このため、本実施例では、パネル用開口部３０の上下の縁部３０ａに対して、装飾部材２５を極めて強固に固定できるという利点がある。
【００４６】
特に、本実施例では、パネル用開口部３０の上下に対向する縁部３０ａにおいて、装飾部材２５の非張出部４５ａと補強部材２６の係止部６５が縁部３０ａを前後に挟み込むように夫々当接するため、仮に、装飾部材２５が放音部材３４に螺着されていないとしても、補強部材２６による係止のみによって装飾部材２５を上部装飾枠２４に保持できる。このため、本実施例では、補強部材２６を装飾部材２５の背面側に螺着して、補強部材２６によって装飾部材２５を上部装飾枠２４に係止した後に、装飾部材２５を放音部材３４に螺着することもできる。
【００４７】
上述のように、補強部材２６は、係止部６５の外方突出部６５ｂが固定部６０よりも背面側寄りに形成されているため、補強部材２６を装飾部材２５に固定した状態で、係止部６５のみが、パネル用開口部３０の背面側に位置することとなる。ここで、本実施例では、図２２に示すように、上パネル１０の切欠部２２は、補強部材２６の係止部６５と前後に重なる位置に形成されているため、本実施例では、上パネル１０の外周部を、補強部材２６と干渉させることなく、パネル用開口部３０の縁部３０ａに背面側から当接させることができる。このように、パネル用開口部３０の縁部３０ａに、上パネル１０を当接させれば、パネル用開口部３０と上パネル１０との隙間がなるため、美観を向上させることができる。また、パネル用開口部３０と上パネル１０の間から不正工具を挿入され難くなるため、なお、図２２に示すように、切欠部２２の一部は、パネル用開口部３０の内側に位置しているが、切欠部２２の前面側には、装飾部材２５が装着されているため、切欠部２２によって美観が損なわれることはなく、切欠部２２から不正工具を挿入されるおそれもない。
【００４８】
また、本実施例では、スピーカ用開口部３１の背面側に配設されるスピーカ本体３５には、振動板を振動させるための永久磁石（図示省略）が内蔵されているため、スピーカ本体３５の後端部に、強磁性体を吸着可能となっている。一方、補強部材２６はスチール製であり強磁性体であるため、本実施例では、補強部材２６の装着前にスピーカ本体３５を上部装飾枠２４に装着しておけば、図２３に示すように、補強部材２６を上部装飾枠２４に装着する際に、スピーカ本体３５の後端部に補強部材２６を吸着させて、補強部材２６を一時的に保持することで、補強部材２６の取付作業を省力化できるという利点がある。
【００４９】
以上に本発明の実施例を説明したが、本発明の遊技機は、上記実施例の形態に限らず本発明の要旨を逸脱しない範囲内において種々変更を加えることができる。例えば、上記実施例は、本発明をスロットマシンに適用したものであるが、本発明はパチンコ機等の遊技機にも適用可能である。
【００５０】
また、上記実施例では、上部装飾枠２４が、本発明に係る装飾枠に相当するものであるが、本発明に係る装飾枠は、中パネル用や下パネル用のパネル用開口部が配設された装飾枠であってもよい。また、前扉の前面側に、上パネルと下パネルの二つのパネルが配設され、夫々のパネルについてパネル用開口部が配設された装飾枠を具備する機種については、少なくとも一方の装飾枠を、本発明に係る装飾枠とすればよい。また、前扉の前面側に単一のパネルが配設され、当該パネルについてパネル用開口部が配設された装飾枠を具備する機種については、当該装飾枠を本発明に係る装飾枠とすればよい。また、本発明に係る装飾枠は、パネル用開口部が複数設けられた構成であってもよい。かかる構成では、少なくとも一つのパネル用開口部の内側に装飾部材が張り出していれば足りるが、一つの装飾部材が複数のパネル用開口部の内側に張り出すように構成してもよい。
【００５１】
また、実施例の上パネル１０はデザインパネルであるが、本発明に係るパネルは、デザインパネルに限らず、液晶パネルなどであってもよい。また、上記実施例では、上パネル（パネル）１０が、上部装飾枠（装飾枠）２４とは別部材（パネルベース部材１６）に固定されているが、本発明に係るパネルは、装飾枠の背面側に固定するようにしてもよい。
【００５２】
また、上記実施例では、上部装飾枠２４（装飾枠）の張出部４６に対して、補強部材２６の固定部６０を螺着しているが、張出部と固定部の固定手段は、ネジに限らず、ピンなどを用いてもかまわない。
【００５３】
また、上記実施例では、補強部材２６の固定部６０が、パネル用開口部３０の上下及び左右一側の縁部３０ａに沿うコ字状をなしているが、補強部材の固定部は、パネル用開口部３０の内側に収まり、かつ、装飾部材の張出部の背面に当接し得る形状であれば、パネル用開口部の縁部に沿った形状でなくてもかまわない。
【００５４】
また、上記実施例では、装飾部材２５が、第１部材４７と第２部材４８の二部材で構成されているが、本発明に係る装飾部材は、一体成形品であってもよいし、３つ以上の部材で構成してもかまわない。
【００５５】
また、上記実施例では、上部装飾枠２４（装飾枠）は左右対称形状をなしており、装飾部材２５等も上部装飾枠２４に左右対称に装着されているが、本発明に係る装飾枠は左右対称形状である必要はなく、また、装飾枠に対して装飾部材等が左右対称に装着されていなくてもかまわない。
【００５６】
また、上記実施例では、上部装飾枠２４の前面に、一対の装飾部材２５が配設されているが、本発明は、少なくとも装飾枠の前面に配設された装飾部材の１つについて、本発明に係る構成が適用されていればよい。
【００５７】
また、上記実施例では、上パネル１０（パネル）が前扉３の前面側に露出しているが、本発明に係るパネルの前方に、保護パネル等を配設するようにしてもよい。
【００５８】
また、上記実施例では、上パネル１０の意匠と、装飾部材２５の意匠とが比較的独立したものとなっているが、上パネル１０と装飾部材２５の意匠の関連性を高めれば、上パネル１０と装飾部材２５の意匠とを一層調和させて、意匠性を高めることができる。例えば、上パネル１０に「猫」の意匠を設け、装飾部材２５を「猫の手」を模した形状とすれば、装飾部材２５（猫の手）が、パネル用開口部３０の内側に張り出すことで、「猫」の手が上パネル１０から飛び出してくる印象を遊技者に与えることができる。また、上パネル１０に「鳥」の意匠を設け、装飾部材２５を「翼」を模した形状とすれば、「鳥」が上パネル１０から羽ばたく印象を遊技者に与えることができる。
【符号の説明】
【００５９】
１  スロットマシン（遊技機）
１０  上パネル（パネル）
１５  上部装飾ユニット
２０  上部スピーカ
２２  切欠部
２４  上部装飾枠（装飾枠）
２５  装飾部材
２６  補強部材
２８  主体部
２９  脚部
３０  パネル用開口部
３０ａ  縁部
３０ｂ  傾斜面
３１  スピーカ用開口部
３４  放音部材
３５  スピーカ本体
３８ａ〜３８ｅ  ネジ
４０  放音孔
４５ａ，４５ｂ  非張出部
４６  張出部
４７  第１部材
４８  第２部材
６０  固定部
６５  係止部
６５ａ  後方突出部
６５ｂ  外方突出部
【図１】
2017221510.tif 000003
【図２】
2017221510.tif 000004
【図３】
2017221510.tif 000005
【図４】
2017221510.tif 000006
【図５】
2017221510.tif 000007
【図６】
2017221510.tif 000008
【図７】
2017221510.tif 000009
【図８】
2017221510.tif 000010
【図９】
2017221510.tif 000011
【図１０】
2017221510.tif 000012
【図１１】
2017221510.tif 000013
【図１２】
2017221510.tif 000014
【図１３】
2017221510.tif 000015
【図１４】
2017221510.tif 000016
【図１５】
2017221510.tif 000017
【図１６】
2017221510.tif 000018
【図１７】
2017221510.tif 000019
【図１８】
2017221510.tif 000020
【図１９】
2017221510.tif 000021
【図２０】
2017221510.tif 000022
【図２１】
2017221510.tif 000023
【図２２】
2017221510.tif 000024
【図２３】
2017221510.tif 000025